(57)【要約】      （修正有）【課題】剛性を損なうことなく組立工数を低減させたベッドボードを提供する。【解決手段】ベッドの頭部側又は足元側に取り付けられるベッドボードであって、平板状のパネル材で構成され、ベッド側に位置する本体部４と、本体部の両側側辺と上辺とが第１折り曲げ部によって後側に折り曲げられて、それぞれ右側第１側辺面部６、左側第１側辺面部７、上側第１上辺面部８とが形成され、これらからさらに第２折り曲げ部によって折り曲げられて、本体部と平行となる右側後面部１０、左側後面部１１、上側後面部１２が設けられ、さらにこれらから本体部側に向けて第３折り曲げ部によって折り曲げられて右側第２側辺面部１４、左側第２側辺面部１５、上側第２上辺面部１６が形成されている。本体部と右側第１側辺面部、左側第１側辺面部、上側第１上辺面部との間の第１折り曲げ部には所定幅の溝が形成され、この溝には三角状の突部が形成されている。【選択図】図２
0003218251.tif 000002
【実用新案登録請求の範囲】
【請求項１】
ベッドの頭部側又は足元側に取り付けられるベッドボードであって、該ベッドボードは、平板状のパネル材で構成され、ベッド側に位置する本体部と、該本体部の両側側辺と上辺とが第１折り曲げ部によって後側に折り曲げられて、右側第１側辺面部と、左側第１側辺面部、及び上側第１上辺面部とがそれぞれ形成されており、これら右側第１側辺面部、左側第１側辺面部、上側第１上辺面部からさらに第２折り曲げ部によって折り曲げられて、前記本体部と平行となる右側後面部と、左側後面部、及び上側後面部とがそれぞれ設けられるとともに、該右側後面部と、前記左側後面部、及び前記上側後面部から前記本体部側に向けて第３折り曲げ部によって折り曲げられた右側第２側辺面部と、左側第２側辺面部、及び上側第２上辺面部とがそれぞれ形成されていることを特徴とするベッドボード。
【請求項２】
前記第１折り曲げ部と、前記第２折り曲げ部と、前記第３折り曲げ部には、所定幅の溝が形成されており、この溝には三角状の突部が形成されていることを特徴とする請求項１記載のベッドボード。
【考案の詳細な説明】
【技術分野】
【０００１】  本考案は、ベッドの頭部側又は足元側に設けられるベッドボードに関する。
【背景技術】
【０００２】  従来ベッドに設けられているベッドボードは、フラッシュパネル同士の組立にダボ接合するなどしていた。このため、組立工数が増加し、生産コストが高くなるという問題があった。
【考案の概要】
【考案が解決しようとする課題】
【０００３】  本考案は、上記したような事情に鑑みてなされたものであり、その目的はベッドボードの剛性を損なうことなく組立工数を低減させたベッドボードを提供することにある。
【課題を解決するための手段】
【０００４】  本考案は、上記した課題を解決するために、ベッドの頭部側又は足元側に取り付けられるベッドボードであって、該ベッドボードは、平板状のパネル材で構成され、ベッド側に位置する本体部と、該本体部の両側側辺と上辺とが第１折り曲げ部によって後側に折り曲げられて、それぞれ右側第１側辺面部、左側第１側辺面部、上側第１上辺面部とが形成されており、これら右側第１側辺面部、左側第１側辺面部、上側第１上辺面部からさらに第２折り曲げ部によって折り曲げられて、前記本体部と平行となる右側後面部、左側後面部、上側後面部が設けられるとともに、該右側後面部と、前記左側後面部、及び前記上側後面部から前記本体部側に向けて第３折り曲げ部によって折り曲げられた右側第２側辺面部、左側第２側辺面部、上側第２上辺面部とが形成されていることを特徴とするベッドボード。【０００５】  また、本考案においては、前記第１折り曲げ部は、前記本体部と前記右側第１側辺面部、前記左側第１側辺面部、前記上側第１上辺面部との間に所定幅の溝が形成されており、この溝には三角状の突部が形成されていることを特徴とする請求項１記載のベッドボード。
【考案の効果】
【０００６】  本考案においては、ベッドボードを平板状のパネル材を折り曲げて形成するのみであるため、従来のようなパネルにダボを取り付け、そして互いのパネルを接合するような多数の工程を必要としないため、その工数が大幅に削減でき、ヘッドボード１台の生産に係る時間が大幅に短縮されるとともに、各工程に必要な機械と人員も省力化することが出来る。【０００７】  また、両側側辺と上側側辺を第３折り曲げ部まで折り曲げて本体部と接合することで形状を安定させるため、変形を抑え、従来のようなダボ接合による組立と遜色のない剛性を保つことが出来る。【０００８】  更に、従来のヘッドボードのパネルはダボを打つ穴をあける必要があるため所定以上の厚さ、例えば２０ミリが必要であったが、４ミリ程度の平板パネル材を使用するため、森林資源の省力化になるとともに、軽量化も図ることが出来る。
【図面の簡単な説明】
【０００９】
【図１】本考案のベッドの全体を示す斜視図。
【図２】本考案のベッドボードの展開図。
【図３】（Ａ）本考案のベッドボードの折り曲げ手順を示す図。（Ｂ）本考案のベッドボードの折り曲げ手順を示す図。（Ｃ）本考案のベッドボードの折り曲げ手順を示す図。
【図４】（Ａ）本考案のベッドボードの表側を示す斜視図。（Ｂ）本考案のベッドボードの裏側を示す斜視図。
【考案を実施するための形態】
【実施例】
【００１０】  本考案の実施例について、図面に基づいて説明する。
ベッド１は、人が横たわるボトム部２と、このボトム部２の頭部側に設けられるベッドボード３とから構成される。このベッドボード３は平板状の合板などで構成されるパネル材で成形されている。そして、このベッドボード３は四角状の本体部４と、この本体部４の両側側辺及び上辺から第１折り曲げ部５ａ、５ｂ、５ｃによって後側に折り曲げられて、それぞれ長方形状の右側第１側辺面部６と、左側第１側辺面部７と、上側第１上辺面部８とを備えている。【００１１】  そして、この右側第１側辺面部６と、左側第１側辺面部７と、上側第１上辺面部８から第２折り曲げ部９ａ、９ｂ、９ｃによってさらに折り曲げられて、前記本体部４と平行となる右側後面部１０、左側後面部１１、上側後面部１２が設けられている。さらに、この右側後面部１０と、左側後面部１１、及び上側後面部１２から第３折り曲げ部１３ａ、１３ｂ、１３ｃを介して前記本体部４側に向けて折り曲げられた右側第２側辺面部１４、左側第２側辺面部１５、上側第２上辺面部１６とを備えている。【００１２】  前記した右側後面部１０、左側後面部１１とは、本体部４の上辺側に位置する部分が斜めにカットされたカット部１０ａ、１１ａがそれぞれ形成されている。また、上側後面部１２にもその両側に斜めにカットしたカット部１２ａ、１２ｂが形成されている。【００１３】  前記した第１折り曲げ部５ａは、前記本体部４と、前記右側第１側辺面部６との間に所定幅Ｙの溝１７が形成されている。この溝１７は、例えば３ｍｍ程度の幅とするのが良い。そして、この溝１７には折り曲げられた際に内側となる方向に向けて突出する直角三角形状の突部１８が形成されている。一方、前記本体部４と前記右側第１側辺面部６には、この溝１７に面する側の角部がカットされて斜面部４ａ、６ａとがそれぞれ形成されている。【００１４】  第１折り曲げ部５ｂの前記本体部４と前記左側第１側辺部７との間も、第１折り曲げ部５ａと同様に所定幅Ｙの溝１７が形成されており、この溝１７にも折り曲げられた際に内側となる方向に向けて突出する直角三角形状の突部１８が形成されている。さらに、第１折り曲げ部５ｃの前記本体部４と前記上側第１上辺面部８との間も、第１折り曲げ部５ａと同様に所定幅Ｙの溝１７が形成されており、この溝１７にも折り曲げられた際に内側となる方向に向けて突出する直角三角形状の突部１８が形成されている。【００１５】  なお、第２折り曲げ部９ａ、９ｂ、９ｃ、及び第３折り曲げ部１３ａ、１３ｂ、１３ｃも第１折り曲げ部５ａ、５ｂ、５ｃと同様の溝１７の構成となっており、説明は省略する。【００１６】  上記のように構成されたベッドボードの製造について以下説明する。まず、図２に示すようにベッドボード３を成形するために１枚のパネル材から所定形状に切断する。そしてこの切断した状態のパネル材に対して、本体部４と右側第１側辺面部６との間に第１折り曲げ部５ａを形成する。この第１折り曲げ部５ａは専用の特殊な鋸を取り付けたＮＣマシンを用いて所定幅Ｙの溝１７と直角三角形状の突部１８を加工する（図３（Ａ）参照）。【００１７】  この第１折り曲げ部５ａは、所定幅Ｙの溝１７と突部１８を形成することによって、折り曲げた際に突部１８の両側斜面に本���部４の壁面４ｂと右側第１側辺面部６の壁面６ｂとが面接触すると共に、前記本体部４の斜面部４ａと前記右側第１側辺面部６の斜面部６ａとが面接触することで両者を折り曲げた際に表面の角に平面部分１９が成形される（図３（Ａ）、（Ｂ）、（Ｃ）参照）。このように本体部４と右側第１側辺面部６とを折り曲げた際に表面の角部分に平面部分１９が形成されることで一辺の角度を１３５度の鈍角になる。【００１８】  なお、本体部４と左側第１側辺面部７との間の第１折り曲げ部５ｂ、本体部４と上側第１上辺面部８との間の第１折り曲げ部５ｃの溝の加工も前記と同様の加工方法となる。また、第２折り曲げ部９ａ、９ｂ、９ｃ、及び第３折り曲げ部１３ａ、１３ｂ、１３ｃの溝の加工も同様の加工方法となるため説明は省略する。また、上記実施例では、ボトム部２の頭部側２ａに設けられるベッドボード３で説明したが、ボトム部２の足元側２ｂに設けられるベッドボードとしても良いものである。【００１９】  上記した構成とすることで、本体部４を中心にして右側第１側辺面部６、左側第１側辺面部７、上側第１上辺面部８、右側後面部１０、左側後面部１１、上側後面部１２、右側第２側辺面部１４、左側第２側辺面部１５、上側第２上辺面部１６と順番に折り曲げていくことでヘッドボード３が完成する（図４（Ａ）、（Ｂ）参照）。【００２０】  このとき、溝１７に接着剤（図示せず）を塗布しておくことで、本体部４の斜面部４ａと右側第１側辺面部６の斜面部６ａとが接着される。
また、本体部４の壁面４ｂと前記突部１８の斜面とが接着されるとともに、前記右側第１側辺面部６の壁面６ｂと前記突部１８の反対側斜面とが接着されることで第１折り曲げ部５ａ、５ｂ、５ｃが強固に固定される。
なお、第２折り曲げ部９ａ、９ｂ、９ｃ、第３折り曲げ部１３ａ、１３ｂ、１３ｃも同様に接着固定される。【００２１】  また、上側後面部１２の左右のカット部１２ａ、１２ｂの端面に接着剤（図示せず）を塗布することで、前記右側後面部１０のカット部１０ａと前記左側後面部１１のカット部１１ａとが突き合わせた状態で接着固定される。【００２２】  このような組み立て方によれば、折り曲げた部分の角度が１３５度の鈍角となり、これによって、表面の亀裂が防止でき、折り曲げた際のへこみ・たわみ・ねじれに対する強度が増し、薄いパネル材でもベッドボードとしての剛性を満たすことが出来る。
【符号の説明】
【００２３】  ３  ベッドボード
４  本体部
６  右側第１側辺面部
７  左側第１側辺面部
８  第１上辺面部
１２  第２上辺面部
１４  右側後面部
１５  左側後面部
１６  上側後面部
【図１】
0003218251.tif 000003
【図２】
0003218251.tif 000004
【図３】
0003218251.tif 000005
【図４】
0003218251.tif 000006